(57)【要約】【課題】  部品点数の増加なしに桟木を設置し得る構成を備える外枠を提供する。【解決手段】  アルミニウム製の四つの枠部材２〜５を有し、枠部材２は、枠外側面の前後両端縁から突出し前後両端縁に沿って延出する前端リブ２ａ，２ｂ，２ｃと後端リブ２ｄ，２ｅ，２ｆを有し、かつ遊技機運搬用の桟木が設置される前側凹部２０，２２と後側凹部２１，２３を有している。前側凹部２０，２２は、枠部材２の前端縁に前端リブを桟木の幅に合わせて形成しないことで枠部材２の前端縁に凹状に形成される。後側凹部２１，２３は、枠部材２の後端縁に後端リブを桟木の幅に合わせて形成しないことで枠部材２の後端縁に凹状に形成される。そして前側凹部２０，２２と後側凹部２１，２３に渡って桟木を設置し得る構成になっている。【選択図】        図１
2006346259.tif 000002
【特許請求の範囲】
【請求項１】
金属製または樹脂製の四つの枠部材を矩形状に枠組みして形成される遊技機の外枠であって、
少なくとも一つの枠部材は、該枠部材の枠外側面の前後両端縁から突出しかつ前記前後両端縁に沿って延出する前端リブと後端リブを有するとともに、遊技機運搬用の桟木が設置される前側凹部と後側凹部を有しており、
前記前側凹部は、前記枠部材の前端縁に前記前端リブを前記桟木の幅に合わせて形成しないことで前記枠部材の前端縁に凹状に形成される構成、あるいは前記前端リブを前記桟木の幅に合わせて凹状に形成した構成であり、
前記後側凹部は、前記枠部材の後端縁に前記後端リブを前記桟木の幅に合わせて形成しないことで前記枠部材の後端縁に凹状に形成される構成、あるいは前記後端リブを前記桟木の幅に合わせて凹状に形成した構成であり、
これら前側凹部と後側凹部に渡って前記桟木を設置し得る構成になっていることを特徴とする遊技機の外枠。
【発明の詳細な説明】
【技術分野】
【０００１】
本発明は、金属製または樹脂製の四つの枠部材を矩形状に枠組みして形成される遊技機の外枠に関する。
【背景技術】
【０００２】
従来、様々な遊技機の外枠が知られており、例えば特許文献１に記載の遊技機の外枠が知られている。
特許文献１に記載の外枠は、四つのアルミニウム製の枠部材を有しており、枠部材の一つである上の枠部材（天板）の上面中央領域に凹部を有している。そしてその凹部に木質系部材が嵌め込まれている。
したがって外枠を有する遊技機をトラックに積載して運搬する場合は、上の枠部材が上となるように複数の遊技機を所定間隔に起立させ、桟木を複数の外枠に渡って架け渡す。そして桟木と外枠に嵌め込んだ木質系部材とを釘によって固定し、桟木によって複数の遊技機を所定間隔で保持することができる構成になっている。
【特許文献１】特開２００４−２６７４３９号公報
【発明の開示】
【発明が解決しようとする課題】
【０００３】
しかし特許文献１に係る外枠は、木質系部材が必要であるために、部品点数が多くなるという問題があった。そして木質系部材をアルミニウム製の枠部材に嵌め込むという作業も必要になっていた。
そこで本発明は、外枠を有する遊技機をトラック等に積載して運搬する際に、遊技機を所定間隔毎に複数並べ、桟木によってこれら遊技機を所定間隔毎に保持する構造を部品点数の増加なしに有する金属製または樹脂製の外枠を提供することを課題とする。
【課題を解決するための手段】
【０００４】
前記課題を解決するために本発明は、請求項に記載の通りの構成を備える遊技機の外枠であることを特徴とする。
請求項１に記載の発明によると、金属製または樹脂製の四つの枠部材を矩形状に枠組みして形成される遊技機の外枠であって、少なくとも一つの枠部材は、該枠部材の枠外側面の前後両端縁から突出しかつ前後両端縁に沿って延出する前端リブと後端リブとを有するとともに、遊技機運搬用の桟木が設置される前側凹部と後側凹部を有している。前側凹部は、枠部材の前端縁に前端リブを桟木の幅に合わせて形成しないことで枠部材の前端縁に凹状に形成される構成、あるいは前端リブを桟木の幅に合わせて凹状に形成した構成である。後側凹部は、枠部材の後端縁に後端リブを桟木の幅に合わせて形成しないことで枠部材の後端縁に凹状に形成される構成、あるいは後端リブを桟木の幅に合わせて凹状に形成した構成である。そしてこれら前側凹部と後側凹部に渡って桟木を設置し得る構成になっている。
【０００５】
したがって前側凹部と後側凹部は、枠部材の前端リブまたは後端リブを利用して構成されており、別部材を設けることなく枠部材に形成されている。
また前側凹部と後側凹部は、枠部材の前端縁側と後端縁側に形成されており、これらに渡って桟木が設置されている。そのため外枠は、前側と後側において桟木によって保持され、安定良く保持される。しかも外枠を有する遊技機をトラック等に積載して運搬する場合は、遊技機を所定間隔毎に複数並べ、これら遊技機の外枠の各前側凹部と後側凹部に渡って桟木を架け渡すことができる。そのため桟木によって複数の遊技機を所定間隔毎に並べた状態で保持することができる。
また枠部材は、長手方向に延出する前端リブと後端リブを有しているために、長手方向の曲げ強度が強い構成になっている。
すなわち前端リブと後端リブは、枠部材を補強する役割と、桟木を設置する凹部を形成する役割を担う構成になっている。
【発明の効果】
【０００６】
本発明によると、部品点数の増加なしに金属製または樹脂製の外枠に前側凹部と後側凹部を設けることができる。そしてこれら前側凹部と後側凹部に桟木を設置することによって、外枠を有する遊技機を所定間隔毎に複数並べた状態にて保持することができる。
【発明を実施するための最良の形態】
【０００７】
（実施の形態１）
本発明の実施の形態１を図１〜５にしたがって説明する。
パチンコ機（遊技機）は、図１，２に示すように四つの枠部材２〜５を矩形状に枠組みして形成された外枠１と、外枠１に回動可能に取付けられる前枠１０を有している。
外枠１は、アルミニウム製の上の枠部材２、左の枠部材３、右の枠部材４、下の枠部材５と、これら枠部材２〜５を結合する結合部材１１〜１４と、アルミニウム製の幕板６を有している。
【０００８】
上の枠部材２は、図３に示すように左右方向に延出し、上面である枠外側面に前端リブ２ａ，２ｂ，２ｃと後端リブ２ｄ，２ｅ，２ｆを一体に有している。また枠部材２は、下面である枠内側面に内側面リブ２ｈ，２ｉ，２ｊを一体に有している。
前端リブ２ａ，２ｂ，２ｃは、枠部材２の枠外側面の前端縁から上方（枠外方）に突出し、前端縁に沿って長手方向に延出している。
【０００９】
前端リブ２ａ，２ｂ，２ｃは、図３に示すようにそれぞれ左寄り位置、中央寄り位置、右寄り位置に形成されている。
前端リブ２ａ，２ｂの間には、リブが形成されておらず、それによって凹状に形成された前側凹部２０が枠部材２の前端縁の左寄りに形成されている。
前端リブ２ｂ，２ｃの間にもリブが形成されておらず、それによって凹状に形成された前側凹部２２が枠部材２の前端縁の右寄りに形成されている。
【００１０】
後端リブ２ｄ，２ｅ，２ｆは、図３に示すように枠部材２の枠外側面の後端縁から上方（枠外方）に突出し、後端縁に沿って長手方向に延出している。
後端リブ２ｄ，２ｅ，２ｆは、左寄り位置、中央寄り位置、右寄り位置に形成されており、後端リブ２ｄ，２ｅの間には、リブが形成されておらず、それによって凹状に形成された後側凹部２１が枠部材２の後端縁の左寄りに形成されている。
後端リブ２ｅ，２ｆの間にもリブが形成されておらず、それによって凹状に形成された後側凹部２３が枠部材２の後端縁の右寄りに形成されている。
【００１１】
前側凹部２０，２２と後側凹部２１，２３は、図５に示すように桟木３０，３１の幅に合わせて、桟木３０，３１の幅よりも少しだけ左右方向の幅が広くなっており、桟木３０，３１が設置される構成になっている。
また前側凹部２０と後側凹部２１は、左寄りに並設されており、同じ桟木３０が設置され得る構成になっている。一方、前側凹部２２と後側凹部２３は、右寄りに並設されており、同じ桟木３１が設置され得る構成になっている。
【００１２】
左右の枠部材３，４は、図１，２に示すように上下方向に延出し、枠外側面に前端リブ３ａ，４ａと後端リブ３ｂ，４ｂを一体に有しており、枠内側面に複数の内側面リブを一体に有している。
前端リブ３ａ，４ａと後端リブ３ｂ，４ｂは、枠部材３，４の枠外側面の前後両縁から枠外方に突出し、前後両端縁に沿って長手方向全長に渡って延出している。
内側面リブは、枠部材３，４の枠内側面から枠中心方向に突出し、枠部材３，４の長手方向全長に渡って延出している。
【００１３】
下の枠部材５は、図２に示すように左右方向に延出し、下面である枠外側面に前端リブ５ａと後端リブ５ｂを一体に有しており、上面である枠内側面に複数の内側面リブを一体に有している。
前端リブ５ａと後端リブ５ｂは、枠部材５の枠外側面の前後両縁から下方に突出し、前後両端縁に沿って長手方向全長に渡って延出している。
内側面リブは、枠部材５の枠内側面から枠中心方向に突出し、枠部材５の長手方向全長に渡って延出している。
【００１４】
下の枠部材５の前端部には、図２に示すように幕板６が一体に形成されており、幕板６は、下の枠部材５の前端部に立設している。
したがって幕板６は、枠部材２〜５を矩形状に枠組みすることで、左右の枠部材３，４の前面側において左右の枠部材３，４の間に渡って延出する。
【００１５】
結合部材１１〜１４は、図１に示すように鋼材などの金属材をＬ字状に加工したＬ字金具であって、ビスとナットによって枠部材２〜５に取付けられ、枠部材２〜５を矩形状に組付ける。
【００１６】
外枠１は、図１に示すように前枠１０を回動可能に保持するために、下蝶番固定部材７と結合部材１１に形成された軸受部１１ａを有している。
下蝶番固定部材７は、幕板６と左の枠部材３の間に取付けられており、前端部から上方に突出する回動支持部７ａを有している。
軸受部１１ａは、図１に示すように結合部材１１の前端縁から上の枠部材２の前端縁よりも前方に鉤針状に延出している。
【００１７】
前枠１０は、図１に示すように板材であって、中央に開口部１０ａを有している。そして前枠１０には、図示省略の遊技盤や各種の機構装置、部品類などが取付けられる。そして前枠１０は、下蝶番固定部材７に下端部が回動可能に支持され、軸受部１１ａに上端部が回動可能に掛け止められる。
【００１８】
次に、外枠１を備えるパチンコ機の運搬方法について説明する。
先ず、複数のパチンコ機をトラックの荷台等に起立した状態で複数並べる。図５には、外枠１のみを記載したが、上の枠部材２が上となるようにパチンコ機を所定間隔で複数並べる。
次に、上の枠部材２と略直交する方向に長尺状の桟木３０，３１を設置し、桟木３０，３１を複数の外枠１に渡って架け渡す。そして桟木３０，３１を各外枠１の枠部材２の前側凹部２０，２２と後側凹部２１，２３に渡って設置する（内設する）。
【００１９】
次に、桟木３０，３１の前端部上面にワイヤー３２を掛け、ワイヤー３２の両端部をトラックの荷台に固定する。そして桟木３０，３１の後端部上面にワイヤー３３を掛け、ワイヤー３３の両端部をトラックの荷台に固定する。
これにより複数のパチンコ機を桟木３０，３１によって所定間隔で保持することができ、複数のパチンコ機を安定良くトラック等で運搬することができる。
【００２０】
以上のようにしてパチンコ機の外枠１が形成されている。
すなわち外枠１は、図１に示すようにアルミニウム製の四つの枠部材２〜５を有し、上の枠部材２は、前端リブ２ａ，２ｂ，２ｃと後端リブ２ｄ，２ｅ，２ｆと前側凹部２０，２２と後側凹部２１，２３を有している。前側凹部２０，２２は、図５に示すように枠部材２の前端縁に前端リブを桟木３０，３１の幅に合わせて形成しないことで枠部材２の前端縁に凹状に形成される構成になっている。後側凹部２１，２３は、枠部材２の後端縁に後端リブを桟木３０，３１の幅に合わせて形成しないことで枠部材２の後端縁に凹状に形成される構成になっている。そしてこれら前側凹部２０，２２と後側凹部２１，２３に渡って桟木３０，３１が設置され得る構成になっている。
【００２１】
したがって前側凹部２０，２２と後側凹部２１，２３は、図５に示すように枠部材２の前端リブ２ａ，２ｂ，２ｃまたは後端リブ２ｄ，２ｅ，２ｆを利用して構成されており、別部材を設けることなく枠部材２に形成されている。
また前側凹部２０，２２と後側凹部２１，２３は、枠部材２の前端縁側と後端縁側に形成されており、これらに渡って桟木３０，３１が設置されている。そのため外枠１は、前側と後側において桟木３０，３１によって保持され、安定良く保持される。しかも外枠１を有するパチンコ機（遊技機）をトラック等に積載して運搬する場合は、パチンコ機を所定間隔毎に複数並べ、これらパチンコ機の外枠１の各前側凹部２０，２２と後側凹部２１，２３に渡って桟木３０，３１を架け渡すことができる。そのため桟木３０，３１によって複数のパチンコ機を所定間隔毎に並べた状態を保持することができる。
【００２２】
また枠部材２は、長手方向に延出する前端リブ２ａ，２ｂ，２ｃと後端リブ２ｄ，２ｅ，２ｆを有しているために、長手方向の曲げ強度が強い構成になっている。
すなわち前端リブ２ａ，２ｂ，２ｃと後端リブ２ｄ，２ｅ，２ｆは、枠部材２を補強する役割と、桟木３０，３１を設置する前側凹部２０，２２と後側凹部２１，２３を形成する役割とを担う構成になっている。
【００２３】
（実施の形態２）
実施の形態２に係る外枠は、実施の形態１と同様に形成されているが、図３に示す上の枠部材２に代えて図６に示す上の枠部材８を有している点において実施の形態１と相違している。以下、相違点を中心に実施の形態２について説明する。
【００２４】
実施の形態２に係る上の枠部材８は、図６に示すように上面である枠外側面に前端リブ８ａ，８ｂと後端リブ８ｃ，８ｄを一体に有している。そして下面である枠内側面に複数の内側面リブを一体に有している。
前端リブ８ａ，８ｂは、枠部材８の枠外側面の前端縁から上方に突出し、前端縁に沿って長手方向に延出している。前端リブ８ａは、左寄りにおいて延出し、前端リブ８ｂは、右寄りにおいて延出している。そして前端リブ８ａ，８ｂの間には、リブが形成されていないことによって凹状に形成された前側凹部８０が設けられている。
【００２５】
後端リブ８ｃ，８ｄは、枠部材８の枠外側面の後端縁から上方に突出し、後端縁に沿って長手方向に延出している。後端リブ８ｃは、左寄りにおいて延出し、後端リブ８ｄは、右寄りにおいて延出している。そして後端リブ８ｃ，８ｄの間には、リブが形成されていないことによって凹状に形成された後側凹部８１が設けられている。
前側凹部８０と後側凹部８１は、左右方向中央位置に設けられている。そして前側凹部８０と後側凹部８１に渡って桟木が設置される。したがって外枠１を有するパチンコ機（遊技機）をトラック等に積載して運搬する場合は、パチンコ機を所定間隔毎に複数並べ、これらパチンコ機の外枠１の各前側凹部８０と後側凹部８１に渡って桟木を架け渡すことができる。これにより複数のパチンコ機を一本の桟木によって所定間隔毎に並べた状態を保持することができる。
【００２６】
（実施の形態３）
実施の形態３に係る外枠は、実施の形態１と同様に形成されているが、図４に示す上の枠部材２に代えて図７に示す上の枠部材９を有している点が実施の形態１と相違している。以下、相違点を中心に実施の形態３について説明する。
実施の形態３に係る上の枠部材９は、図７に示すように枠外側面に前端リブ９ａと後端リブ９ｂを一体に有しており、枠内側面に複数の内側面リブを一体に有している。
【００２７】
前端リブ９ａと後端リブ９ｂは、枠部材９の枠外側面の前後端縁から上方に突出し、前後端縁に沿って長手方向のほぼ全長に渡って延出している。そして前端リブ９ａと後端リブ９ｂの一部には、凹状に形成した前側凹部９０と後側凹部９１が形成されている。
前側凹部９０と後側凹部９１は、左右方向ほぼ同じ位置に設けられており、前側凹部９０と後側凹部９１に渡って桟木が設置される。したがって外枠１を有するパチンコ機（遊技機）をトラック等に積載して運搬する場合は、パチンコ機を所定間隔毎に複数並べ、これらパチンコ機の外枠１の各前側凹部９０と後側凹部９１に渡って桟木を架け渡すことができる。これにより複数のパチンコ機を桟木によって所定間隔毎に並べた状態を保持することができる。
【００２８】
（他の実施の形態）
本発明は、実施の形態１〜３に限定されず、以下の形態であっても良い。
（１）すなわち実施の形態１〜３は、上の枠部材に前側凹部と後側凹部を有していた。しかし左右の枠部材または下の枠部材に前側凹部と後側凹部を有している形態であって、その枠部材が上となるように複数の外枠（パチンコ機）を起立させ、桟木によって複数の外枠（パチンコ機）を所定間隔で保持する形態であっても良い。
（２）また実施の形態１〜３の外枠は、四つのアルミニウム製の枠部材を有していた。しかし他の金属あるいは樹脂から成形される金属製または樹脂製の枠部材を有する外枠であっても良い。
【図面の簡単な説明】
【００２９】
【図１】実施の形態１に係る外枠の前側からの斜視図である。
【図２】実施の形態１に係る外枠の後側からの斜視図である。
【図３】実施の形態１に係る上の枠部材の斜視図である。
【図４】実施の形態１に係る上の枠部材の一部斜視図である。
【図５】実施の形態１に係る外枠（パチンコ機）をトラックの荷台に保持した状態の斜視図である。
【図６】実施の形態２に係る外枠の前側からの斜視図である。
【図７】実施の形態３に係る上の枠部材の一部斜視図である。
【符号の説明】
【００３０】
１…外枠
２ａ，２ｂ，２ｃ，３ａ，４ａ，５ａ，８ａ，８ｂ，９ａ…前端リブ
２ｄ，２ｅ，２ｆ，３ｂ，４ｂ，５ｂ，８ｃ，８ｄ，９ｂ…後端リブ
２〜５，８，９…枠部材
６…幕板
１０…前枠
１１〜１４…結合部材
２０，２２，８０，９０…前側凹部
２１，２３，８１，９１…後側凹部
３０，３１…桟木
３２，３３…ワイヤー
【図１】
2006346259.tif 000003
【図２】
2006346259.tif 000004
【図３】
2006346259.tif 000005
【図４】
2006346259.tif 000006
【図５】
2006346259.tif 000007
【図６】
2006346259.tif 000008
【図７】
2006346259.tif 000009